(57)【要約】【目的】受信装置の出荷後に新たな放送局が開局された場合でもその放送局名の画面表示を可能とし、且つ書き換え可能な不揮発性メモリの使用量をあまり増大させることがないテレビジョン受信装置を提供する。【構成】テレビジョン受信装置は、テレテキスト情報を含むテレビジョン信号を受信して放送局名コードを抜き出し、この放送局名コードに対応する表示文字列を記憶手段から読み出して画面表示できるように構成されている。ＣＰＵ１３内のＲＯＭ１５には既知の放送局名コードと表示文字列とが対応付けられて記憶され、書き換え可能な不揮発性メモリ（例えば、ＥＥＰＲＯＭ等）１６には、前記ＲＯＭ１５には存在しない放送局名コード（出荷後に新たに取得された放送局名コード）と利用者がリモコン送信機１０等を用いて入力した表示文字列とが対応付けられて記憶される。【選択図】　　　　　　　　図１
2004088526.tif 000002
【特許請求の範囲】
【請求項１】
テレテキスト情報を含むテレビジョン信号を受信して放送局名情報を抜き出し、この放送局名情報に対応する表示文字列を記憶手段から読み出して画面表示できるように構成されたテレビジョン受信装置において、既知の放送局名情報と表示文字列とを対応付けて予め記憶した書き換え不能の第１記憶手段と、新たに受信取得した放送局名情報と利用者が入力した表示文字列とを対応付けて記憶することができる書き換え可能な第２記憶手段と、を備えたことを特徴とするテレビジョン受信装置。
【請求項２】
請求項１に記載のテレビジョン受信装置において、第１記憶手段及び第２記憶手段の両方に存在しない放送局名情報を受信したとき、表示文字列の入力を促す文字入力画面を表示し、利用者によって入力された表示文字列を前記放送局名情報に対応させて第２記憶手段に記憶するように構成されたことを特徴とするテレビジョン受信装置。
【発明の詳細な説明】
【０００１】
【産業上の利用分野】
この発明は、放送局名情報を含むテレテキスト情報が多重されたテレビジョン信号を受信して復調するテレビジョン受信装置に関する。
【０００２】
【従来の技術】
テレテキスト情報を受信するテレビジョン受信装置では、例えばチャンネルの切り替え時などに、テレテキスト情報に含まれる放送局名情報を利用して受信装置の画面に放送局名を表示する機能を有するものがある。従来、放送局名情報と画面に表示する文字列との対応情報をＣＰＵ内のＲＯＭエリアに予め記憶した上でテレビジョン受信装置を出荷していた。
【０００３】
【発明が解決しようとする課題】
しかしながら、この種のテレビジョン受信装置では、上記のごとく、放送局名を表示するための対応情報はＣＰＵのＲＯＭエリアに記憶されているため、例えば受信装置の出荷後に新たに放送局が開局した場合には放送局名を画面に表示することができないという不都合があった。なお、これを解消するために、例えば書き換え可能な不揮発性メモリに前述の対応情報の全てを記憶しておき、随時対応情報を追加していくことも可能ではあるが、例えば欧州のように多くの放送局が存在するエリアでは高価な不揮発性メモリが多く必要とされることになり（放送局名が８００程度あるとすると、表示文字列４文字として約４５Ｋｂｉｔ必要となる）、装置のコスト高を招いてしまう。
【０００４】
この発明は、上記の事情に鑑み、受信装置の出荷後に新たな放送局が開局された場合でもその放送局名の画面表示を可能とし、且つ書き換え可能な不揮発性メモリの使用量をあまり増大させることがないテレビジョン受信装置を提供することを目的とする。
【０００５】
【課題を解決するための手段】
この発明のテレビジョン受信装置は、上記課題を解決するために、テレテキスト情報を含むテレビジョン信号を受信して放送局名情報を抜き出し、この放送局名情報に対応する表示文字列を記憶手段から読み出して画面表示できるように構成されたテレビジョン受信装置において、既知の放送局名情報と表示文字列とを対応付けて予め記憶した書き換え不能の第１記憶手段と、新たに受信取得した放送局名情報と利用者が入力した表示文字列とを対応付けて記憶することができる書き換え可能な第２記憶手段と、を備えたことを特徴とする。
【０００６】
上記の構成であれば、既知の放送局名情報に対応する表示文字列については例えばＲＯＭといった安価な記憶手段（第１記憶手段）に予め格納しており、新規の放送局名情報に対応する表示文字列については比較的高価なＥＥＰＲＯＭ等（第２記憶手段）に記憶することとしたので、その使用量をあまり増大させずに装置コストを低減しつつ受信装置の出荷後に新たな放送局が開局された場合でも放送局名の画面表示を可能とすることができる。
【０００７】
第１記憶手段及び第２記憶手段の両方に存在しない放送局名情報を受信したとき、表示文字列の入力を促す文字入力画面を表示し、利用者によって入力された表示文字列を前記放送局名情報に対応させて第２記憶手段に記憶するように構成されているのがよい。これによれば、新たな放送局名情報を受信したときに装置側からユーザに対して表示文字列の入力を促してくれることになり、ユーザ自らがメニュー画面等を用いて文字入力画面を呼び出す操作を行うことに比べ、新規放送局名情報に対する表示文字列入力の手間が格段に軽減される。
【０００８】
【発明の実施の形態】
以下、この発明の実施形態を図１乃至図５に基づいて説明する。図１は欧州対応のテレビジョン信号を受信するテレビジョン受信装置を示したブロック図であり、図２はテレビジョン受信装置の情報処理関連部を成す制御マイコン２０を示した説明図であり、図３は放送局名表示処理を説明したフローチャートであり、図４は表示文字列入力画面を例示した説明図であり、図５は放送局名修正情報テーブル１８を例示した説明図である。
【０００９】
図１において、アンテナ１は、受信した放送波を電気信号に変換しアンテナ給電線を介してチューナ２に供給する。チューナ２の信号入力部は、アンテナ給電線と増幅部との入力インピーダンスを整合させる回路や妨害となる電波を排除する各種のトラップ回路、入力信号を増幅する増幅回路などを備えている。また、チューナ２は、希望チャンネルの信号と局部発振信号とを混合して中間周波数信号（ＩＦ）を生成する。局部発振信号は、例えば電圧シンセサイザーから出力される。電圧シンセサイザーは、印加電圧（同調電圧）によって容量が変化する可変容量ダイオード等を備えて成り、欧州で採用されている中間周波数の信号が出力されるように、希望チャンネルの信号に対応させて可変した局部発振信号を生成する。
【００１０】
検波回路３は、中間周波数の映像信号を検波することによってコンポジットビデオ信号（輝度信号、搬送色信号、同期信号）を取り出す。ビデオ信号処理回路４は、色副搬送波を発生し、これを用いて搬送色信号から色差信号を復調し、この色差信号から色信号（Ｒ，Ｇ，Ｂ）を生成するなどの処理を行う。ドライブ回路８は、色信号や輝度信号を受像管９を駆動するのに必要な大きさに増幅したり、コンポジットビデオ信号のなかから同期信号を取り出し、垂直同期信号と水平同期信号とに分けて受像管９に与えるといった処理を行う。
【００１１】
テレテキスト情報抜取部５は、コンポジットビデオ信号に含まれているテレテキスト情報（ＣＶＢＳ信号に重畳されている）を抜き取る処理を行う。テレテキストデコード部６は、抜き取られたテレテキスト情報をデコードし、文字表示信号（ＲＧＢ信号）を生成して混合回路１２に供給するとともに、コントロールビットや放送局名コード（放送局名情報）をＣＰＵ１３に供給する。放送局名コードは欧州テレビジョンシステムにおいては、ネットワークＩＤ情報（ＮＩ／ＰＤＣ／ＶＰＳ）により与えられる。
【００１２】
混合回路１２は、テレテキストデコード部６から出力される文字表示信号及びキャラクタジェネレータ７から出力される文字表示信号（チャンネル番号の数字や放送局名等）をビデオ信号処理回路４から出力される映像信号に加える。
【００１３】
リモコン送信機１０は、テレビジョン受信装置に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。また、リモコン送信機１０を用いて受信装置に対して文字情報を与えることができる。例えば、文字入力モード時のリモコン送信機の方向キー情報は、文字位置選択や文字の入力（選択）情報として処理されるようになっている。
【００１４】
書き換え可能な不揮発性メモリ（例えば、ＥＥＰＲＯＭ等）１６には、ＣＰＵ１３のＲＯＭ１５には存在しない放送局名コード（出荷後に新たに受信取得された放送局名コード）と利用者が入力した表示文字列とを対応付けた情報のテーブル（以下、放送局名修正情報テーブル１８という）が作成される。図５に放送局名修正情報テーブル１８の具体的内容を例示している。例えば、最初の１バイト（図５において、例えば、メモリアドレス８０Ｈ）のｂｉｔ３からｂｉｔ１は、放送局名コードがＮＩ／ＰＤＣ／ＶＰＳ信号のいずれであるかを表す保存情報フォーマットを示し、ｂｉｔ０は保存内容が有効であるか無効であるかを示している。２バイト目は放送局名コードの上位８ビットを、３バイト目は放送局名コードの下位８ビットをそれぞれ示し、４バイト目からの４バイト間は、例えばアスキーコードを用いて、画面に表示する表示文字列を一文字ずつ示している。
【００１５】
ＣＰＵ１３は、通常の放送受信に関する処理の他、特にこの発明にかかる処理として、放送局名表示処理を行うようになっている。ＣＰＵ１３内のＲＯＭ１５には、既知の放送局名コードと表示文字列とを対応付けた情報テーブル（以下、放送局名情報テーブル１７という）が格納されている。
【００１６】
この実施形態においては、図２にも示しているように、テレテキストデコード部６等の情報処理関連回路は制御マイコン２０において構成されており、この制御マイコン２０により、前記放送局名情報に基づきその内部のＲＯＭ１５における放送局名情報テーブル１７又は外部の不揮発性メモリ１６における放送局名修正情報テーブル１８を参照し、該当の表示文字列を取り出して映像信号化する処理を行うようになっている。
【００１７】
放送局名表示処理を図３のフローチャートを用いて具体的に説明する。制御マイコン２０は、例えばチャンネルの切り替え時などにＩＤ（放送局名）表示要求を受けると（ステップＳ１でＹＥＳ）、受信中の放送波から放送局名コードを取得する（ステップＳ２）。次に、取得した放送局名コードと不揮発性メモリ１６の放送局名修正情報テーブル１８との照合を行い（ステップＳ３）、合致した場合には（ステップＳ４でＹＥＳ）、文字情報を不揮発性メモリ１６から読み出してキャラクタジェネレータ７により画面に表示させる（ステップＳ５）。
【００１８】
合致しなかった場合には（ステップＳ４でＮＯ）、放送局名修正情報テーブル１８に次の情報があるかどうかを判断し（ステップＳ６）、情報がある場合にはステップＳ３に進む。一方、情報がない場合には取得した放送局名コードとＲＯＭ１５の放送局名情報テーブル１７との照合を行い（ステップＳ７）、合致した場合には（ステップＳ８でＹＥＳ）、文字情報をＲＯＭ１５から読み出してキャラクタジェネレータ７により画面に表示させる（ステップＳ９）。合致しない場合には（ステップＳ８でＮＯ）、放送局名情報テーブル１７に次の情報が記憶されているかどうかを判断し（ステップＳ１０）、次の情報がある場合にはステップＳ７に進む。
【００１９】
ステップＳ１０において情報がないと判断されたときは、放送局名修正情報テーブル１８及び放送局名情報テーブル１７のいずれにも記憶されていない放送局であるので、この場合には受信した放送局名コードに対応する表示文字列をユーザに入力させる画面を表示する（ステップＳ１１）。図４に表示文字列入力画面を例示している。ユーザは、リモコン送信機１０に設けられた図示しない左右方向キーを操作して、表示文字列４文字中の変更したい文字を選択し（色変わりさせ）、上下方向キーを用いて文字を変更する。例えば、図中で色変わりさせた「Ｂ」を「Ｄ」に変更するのであれば、下方向キーを２回押下すればよい。この操作を４回行って４文字を入力し、Ｅｎｔｅｒキーを押して文字列を決定することになる（ステップＳ１２）。制御マイコン２０は、ユーザにより入力された表示文字列と受信した放送局名コードとを対応させて不揮発性メモリ１６の放送局名修正情報テーブル１８に保存する（ステップＳ１３）。よって、以降において当該放送局名コードを受信取得すると、ユーザにより入力された表示文字列が画面表示されることになる。
【００２０】
以上説明したように、この発明によれば、既知の放送局名コードに対応する表示文字列についてはＲＯＭといった安価な記憶手段に予め格納しており、新規の放送局名コードに対応する表示文字列については不揮発性メモリ（ＥＥＰＲＯＭ等）１６に記憶することとしたので、その使用量をあまり増大させずに受信装置コストを低減しつつ受信装置の出荷後に新たな放送局が開局された場合でも放送局名の画面表示を可能とすることができる。欧州対応のテレビジョン受信装置として、不揮発性メモリ１６に記憶されることとなる新規の放送局名コード及び表示文字列については、ユーザが実際に受信できて視聴している放送局が対象となるため、１０乃至２０ポジション分も用意すれば足りると考えられ、欧州全体の対象コード数（約８００程度）に比べて圧倒的に少なくて済むことになる。また、放送局名修正情報テーブル１８及び放送局名情報テーブル１７のいずれにも記憶されていない放送局の場合、受信した放送局名コードに対応する表示文字列をユーザに入力させる画面を表示することとしたので（ステップＳ１１参照）、ユーザ自らがメニュー画面等を用いて文字入力画面を呼び出すことに比べて、新規放送局名コードに対する表示文字列入力の手間が格段に軽減される。
【００２１】
なお、以上の例では、欧州対応のテレビジョン受信装置を示したが、これに限るものではない。
【００２２】
【発明の効果】
以上説明したように、この発明のテレビジョン受信装置であれば、受信装置の出荷後に新たな放送局が開局された場合でもその放送局名の画面表示を可能とし、且つ書き換え可能な不揮発性メモリの使用量をあまり増大させることがないので受信装置コストを低減できるという効果を奏する。
【図面の簡単な説明】
【図１】この発明の実施形態のテレビジョン受信装置を示したブロック図である。
【図２】テレビジョン受信装置の情報処理関連部を成す制御マイコンを示した説明図である。
【図３】放送局名表示処理を説明したフローチャートである。
【図４】表示文字列入力画面を例示した説明図である。
【図５】放送局名修正情報テーブルを例示した説明図である。
【符号の説明】
１　　アンテナ
２　　チューナ
３　　検波回路
４　　ビデオ信号処理回路
５　　テレテキスト情報抜取部
６　　テレテキストデコード部
７　　キャラクタジェネレータ
１３　ＣＰＵ
１５　ＲＯＭ
１６　不揮発性メモリ
１７　放送局名情報テーブル
１８　放送局名修正情報テーブル
２０　制御マイコン
【図１】
2004088526.tif 000003
【図２】
2004088526.tif 000004
【図３】
2004088526.tif 000005
【図４】
2004088526.tif 000006
【図５】
2004088526.tif 000007